【手続補正書】
【提出日】平成17年2月22日(2005.2.22)
【手続補正１】
【補正対象書類名】明細書
【補正対象項目名】発明の名称
【補正方法】変更
【補正の内容】
【発明の名称】プリンタ更正方法及びプリンタ更正装置
【手続補正２】
【補正対象書類名】明細書
【補正対象項目名】特許請求の範囲
【補正方法】変更
【補正の内容】
【特許請求の範囲】
【請求項１】
カラー印字可能なプリンタのキャリブレーションを行うプリンタ更正方法であって、
前記プリンタで印字される色成分の最大濃度情報を利用してキャリブレーション情報を生成する第１のキャリブレーション工程と、
生成されたキャリブレーション情報と前記プリンタに固有のキャリブレーション情報とを利用して、前記プリンタのキャリブレーションを行う第２のキャリブレーション工程と
を有することを特徴とするプリンタ更正方法。
【請求項２】
カラー印字可能なプリンタのキャリブレーションを行うプリンタ更正方法であって、
前記プリンタからカラー印字に用いられる各色成分に関するパッチデータを出力させる出力工程と、
該パッチデータ出力時の前記プリンタについてのエンジン特性情報を取得する取得工程と、
前記パッチデータを読み取る読取工程と、
読み取られた前記パッチデータに基づいてキャリブレーションテーブルを作成するテーブル作成工程と、
作成されたキャリブレーションテーブル及び前記エンジン特性情報をキャリブレーション情報として前記プリンタへダウンロードするダウンロード工程と、
生成されたキャリブレーション情報と前記プリンタに固有のキャリブレーション情報とを利用して前記プリンタのキャリブレーションを行う第２のキャリブレーション工程と
を有することを特徴とするプリンタ更正方法。
【請求項３】
前記第２のキャリブレーション工程が、
前記プリンタで印字される色成分の最大濃度補正を行う補正工程と、
前記プリンタについてのエンジン特性情報を取得する第２の取得工程と、
前記キャリブレーションテーブルが前記プリンタにダウンロードされているか否かを判定する判定工程と、
前記キャリブレーションテーブルがダウンロードされている場合、前記キャリブレーションテーブルに所定の特性を与えるためのキャリブレーションテーブル補正データを作成する補正データ作成工程と、
生成されたキャリブレーションテーブル補正データから新たなキャリブレーションテーブルを作成する第２のテーブル作成工程と、
該新たなキャリブレーションテーブルを用いてキャリブレーションを行うキャリブレーション工程と
を有することを特徴とする請求項１又は２に記載のプリンタ更正方法。
【請求項４】
前記プリンタのキャリブレーション実行に先立って、前記プリンタで印字される色成分の最大濃度補正を行う第２の補正工程をさらに有することを特徴とする請求項２又は３に記載のプリンタ更正方法。
【請求項５】
前記第２の補正工程を実行するか否かを選択する選択工程をさらに有することを特徴とする請求項４記載のプリンタ更正方法。
【請求項６】
カラー印字可能なプリンタに接続し、該プリンタのキャリブレーションを行うプリンタ更正装置であって、
前記プリンタで印字される色成分の最大濃度情報を利用してキャリブレーション情報を生成する第１のキャリブレーション手段と、
生成されたキャリブレーション情報と前記プリンタに固有のキャリブレーション情報とを利用して、前記プリンタのキャリブレーションを行う第２のキャリブレーション手段と
を備えることを特徴とするプリンタ更正装置。
【請求項７】
カラー印字可能なプリンタに接続し、該プリンタのキャリブレーションを行うプリンタ更正装置であって、
前記プリンタからカラー印字に用いられる各色成分に関するパッチデータを出力させる出力手段と、
該パッチデータ出力時の前記プリンタについてのエンジン特性情報を取得する取得手段と、
前記パッチデータを読み取る読取手段と、
読み取られた前記パッチデータに基づいてキャリブレーションテーブルを作成するテーブル作成手段と、
作成されたキャリブレーションテーブル及び前記エンジン特性情報をキャリブレーション情報として前記プリンタへダウンロードするダウンロード手段と、
生成されたキャリブレーション情報と前記プリンタに固有のキャリブレーション情報とを利用して前記プリンタのキャリブレーションを行う第２のキャリブレーション手段と
を備えることを特徴とするプリンタ更正装置。
【請求項８】
前記プリンタに対してネットワークを介して接続可能であることを特徴とする請求項６又は７に記載のプリンタ更正装置。
【請求項９】
カラー印字可能なプリンタに接続し、該プリンタのキャリブレーションを行うプリンタ更正装置を制御するためのコンピュータプログラムであって、
前記プリンタで印字される色成分の最大濃度情報を利用してキャリブレーション情報を生成する第１のキャリブレーション手段と、
生成されたキャリブレーション情報と前記プリンタに固有のキャリブレーション情報とを利用して、前記プリンタのキャリブレーションを行う第２のキャリブレーション手段と
して機能することを特長とするコンピュータプログラム。
【請求項１０】
カラー印字可能なプリンタに接続し、該プリンタのキャリブレーションを行うプリンタ更正装置を制御するためのコンピュータプログラムであって、
前記プリンタからカラー印字に用いられる各色成分に関するパッチデータを出力させる出力手段と、
該パッチデータ出力時の前記プリンタについてのエンジン特性情報を取得する取得手段と、
前記パッチデータを読み取る読取手段と、
読み取られた前記パッチデータに基づいてキャリブレーションテーブルを作成するテーブル作成手段と、
作成されたキャリブレーションテーブル及び前記エンジン特性情報をキャリブレーション情報として前記プリンタへダウンロードするダウンロード手段と、
生成されたキャリブレーション情報と前記プリンタに固有のキャリブレーション情報とを利用して前記プリンタのキャリブレーションを行う第２のキャリブレーション手段と
して機能することを特徴とするコンピュータプログラム。
【請求項１１】
請求項９又は１０に記載のコンピュータプログラムを格納することを特徴とする記録媒体。
【請求項１２】
コンピュータに接続されたプリンタのキャリブレーションを行うプリンタ更正方法であって、
ページ内にパッチを形成し、形成されたパッチを読み取って行われるキャリブレーションの前に前記プリンタの最大濃度補正を行うか否かを切り替える切替工程と、
前記切替工程による切り替え結果に従って、前記プリンタのキャリブレーションを行う処理工程と
を有することを特徴とするプリンタ更正方法。
【請求項１３】
前記切替工程は、ユーザインタフェースから入力された指示に従って切り替えることを特徴とする請求項１２に記載のプリンタ更正方法。
【手続補正３】
【補正対象書類名】明細書
【補正対象項目名】０００１
【補正方法】変更
【補正の内容】
【０００１】
【発明の属する技術分野】
本発明は、カラープリンタのキャリブレーションを好適に行うプリンタ更正方法及びプリンタ更正装置に関する。
【手続補正４】
【補正対象書類名】明細書
【補正対象項目名】０００９
【補正方法】変更
【補正の内容】
【０００９】
本発明は、このような事情を考慮してなされたものであり、ソフトキャリブレーション及びデバイスキャリブレーション間に相関関係を持たせることによって、キャリブレーション時のユーザの処理操作を軽減するとともに、安定したカラー印字特性を得ることができるプリンタ更正方法及びプリンタ更正装置を提供することを目的とする。